(57)【要約】【課題】既築の建築物に設置でき、さらに浄化体の交換作業を可能とする空気浄化装置を提供する。【解決手段】空気浄化装置は、建築物の外壁に面して設置され且つ扉及び外部に開口する吸気孔を有する収納庫と、吸気孔により導入された空気を浄化する浄化体と、浄化体により浄化された空気を収納庫から建築物内部に送り込む送風ファンとを備え、浄化体と送風ファンは収納庫内に収容され、浄化体は、収納庫の扉を開けて交換可能に収納庫内部に配設される。【選択図】図１
2017090011.tif 000002
【特許請求の範囲】
【請求項１】
建築物の外壁に面して設置され、扉及び外部に開口する吸気孔を有する収納庫と、
前記収納庫内に収容され、前記吸気孔により導入された空気を浄化する浄化体と、
前記収納庫内に収容され、前記浄化体により浄化された空気を前記収納庫から前記建築物内部に送り込む送風ファンとを備え、
前記浄化体は、前記収納庫の扉を開けて交換可能に前記収納庫内部に配設されることを特徴とする空気浄化装置。
【請求項２】
前記送風ファンとつながるダクトを備え、前記ダクトは、前記建築物の外壁を貫通して前記建築物の天井裏に延び、前記送風ファンから送り出される空気は前記建築物の天井裏を介して前記建築物内部に供給されることを特徴とする請求項１に記載の空気浄化装置。
【請求項３】
前記浄化体は、通気性を有する袋体に炭化物からなる多孔性吸着物質を収容させたものとして構成され、前記収納庫の高さ方向に複数段にわたって配設されることを特徴とする請求項１又は２に記載の空気浄化装置。
【発明の詳細な説明】
【技術分野】
【０００１】
本発明は、住宅用建物などの建築物の内部の空気を浄化する空気浄化装置に関し、特に、建築物に外付けにて設置される空気浄化装置に関する。
【背景技術】
【０００２】
住宅用建物の高気密化が近年進んできており、住宅建築において、換気設備（第一種換気設備、第二種換気設備、第三種換気設備）の設置が必要に応じて義務づけられている。換気は、建物内で発生する汚れた空気（建材や家具から発生するもの、人体や台所、浴室などから発生する水蒸気）を室内に留まらせることなく、新鮮な空気と交換・循環させるものであり、また、いわゆるシックハウス症候群の予防対策として実施されている。
【０００３】
換気は、上述のように、内部と外部の空気を交換・循環させるものであるが、さらに、家屋内の空気を例えば活性炭などの浄化体を通して浄化して循環させる空気浄化装置も提供されている（例えば、特許文献１〜４）。空気浄化装置において、空気を浄化するための浄化体（例えば活性炭）は、特許文献１−３では、床下空間に配置され、床下を介して室内全体の空気を循環させることで、室内の空気浄化を図っている。また、特許文献４は、浄化体を天井裏に配置し、天井裏を含む循環経路を構築することで、室内全体の空気の浄化が図られる。
【先行技術文献】
【特許文献】
【０００４】
【特許文献１】特開平１０−１２２６２３号公報
【特許文献２】特開平１０−２８０６５９号公報
【特許文献３】登録実用新案第３０３３５４３号公報
【特許文献４】特開２００２−７１１８６号公報
【発明の概要】
【発明が解決しようとする課題】
【０００５】
従来の空気浄化装置において、浄化体を床下や天井裏に配置し、そこを通過して浄化された空気を家屋内全体に行き渡らせる設備を構築することは、住宅建築時（特に、内装工事や造作工事前の躯体建築時）に施工する必要があり、既築の住宅建物において、後付けで空気浄化装置を設置するには、住宅建物の改築など大がかりでコスト高の建築工事となり、その導入は進んでいない。
【０００６】
また、竹炭や活性炭など炭材料による浄化体は、使用環境や使用量により異なるが、通常、数年にてその寿命となり、設置後も定期的に交換する必要があるが、大量の浄化体を交換する作業において、狭い間口を介しての床下や天井裏での交換作業は作業環境が悪く、非効率的である。
【０００７】
そこで、本発明の目的は、既築の建築物に設置でき、さらに浄化体の容易な交換作業を実現することができる空気浄化装置を提供することにある。
【課題を解決するための手段】
【０００８】
上記目的を達成するための本発明の空気浄化装置は、建築物の外壁に面して設置され且つ扉及び外部に開口する吸気孔を有する収納庫と、吸気孔により導入された空気を浄化する浄化体と、浄化体により浄化された空気を収納庫から建築物内部に送り込む送風ファンとを備え、浄化体及び送風ファンは収納庫内に収容され、さらに、浄化体は収納庫の扉を開けて交換可能に収納庫内部に配設されることを特徴とする。
【０００９】
さらに、空気浄化装置は、送風ファンとつながるダクトを備え、ダクトは、建築物の外壁を貫通して建築物の天井裏に延び、送風ファンから送り出される空気は建築物の天井裏を介して建築物内部に供給される。
【００１０】
また、浄化体は、通気性を有する袋体に炭化物からなる多孔性吸着物質を収容させたものとして構成され、収納庫の高さ方向に複数段にわたって配設される。
【発明の効果】
【００１１】
本発明の空気浄化装置によれば、浄化体を収容する収納庫が建築物の外壁に面して設置されるので、空気浄化装置を、建築物の建築時に加えて既築の建築物に後付にて設置でき、さらに浄化体の交換作業も可能となる。
【図面の簡単な説明】
【００１２】
【図１】本発明の実施の形態における空気浄化装置の概略構成を示す縦断面図である。
【図２】空気浄化装置の第１の設計例であって、建築物と一体的に設置される構成の縦断面図である。
【図３】空気浄化装置の第２の設計例であって、建築物の外部に設置される構成の縦断面図である。
【図４】住宅に設置された空気浄化装置の収納庫１０の正面を示す図である。
【発明を実施するための形態】
【００１３】
以下、図面を参照して本発明の実施の形態について説明する。しかしながら、かかる実施の形態例が、本発明の技術的範囲を限定するものではない。
【００１４】
図１乃至図３は、本発明の実施の形態における空気浄化装置の構成例を示す図である。具体的には、図１は、空気浄化装置の概略構成を示す縦断面図、図２は、空気浄化装置の第１の設計例であって、建築物と一体的に設置される構成の縦断面図、図３は、空気浄化装置の第２の設計例であって、建築物の外部に設置される構成の縦断面図である。
【００１５】
図１において、空気浄化装置は、住宅建物などの建築物の外壁に面して設置される箱状の収納庫１０を備え、収納庫１０には、開閉可能な扉１０ａ（図４参照）及び外部に開口した吸気孔１０ｂが設けられる。収納庫１０内には、炭などの浄化体１１及び送風ファン１２が配設される。収納庫１０は、既築の建築物に後付設置する場合、建築物の外部に建築物の外壁に面して隣接するように固定設置され、例えばステンレス製鋼板などの金属材料又は木材で箱形形状として形成される。既築の建築物の外壁に隣接させた収納庫１０を設置することで、既築の建築物に対して後付にて空気浄化装置を提供することができる。
【００１６】
なお、建築物の建築（新築）の際に空気浄化装置を設置することも勿論可能であり、新築時に設置する場合は、既築の建築物の場合と同様に、建物の外部で外壁に隣接して固定設置されてもよく、また、建築物内部の部屋の一部として、内壁、外壁、天井、床に囲まれた室内空間として設置されてもよい。なお、室内空間として設置される場合も、収納庫１０は外部に開口した吸気口１０ｂを備えることから、収納庫１０は内側から外壁に面することとなり、本明細書においては、収納庫１０の外壁に面する設置構成は、建築物の外部で外壁に面する設置と、建築物の内部で外壁が収納庫の壁の一部を構成する設置の両方を含むものとする。
【００１７】
浄化体１１は、例えば不織布などの通気性を有する袋体に竹炭、木炭、活性炭などの炭化物からなる多孔性吸着物質を粒状、粉状又は固形状で収容させたものとして構成され、収納庫１０内の浄化体設置空間１０ｃに複数段にわたって配設される。浄化体設置空間１０ｃは、高さ方向に複数段に仕切られており、各段に設置された水平棚のほぼ一面に浄化体１１が敷き詰められる。複数段にわたって浄化体１１を配設することで、空気との接触面積を十分に確保しつつ大量の浄化体を効率よく収納し、吸引された空気の浄化が確実に行われ、また、低い通気抵抗の流路を形成することができる。水平棚は、通気抵抗がほとんどない網状体であることが好ましく、その形状や材質は適宜選択される。
【００１８】
一般的な家庭用の一戸建て住宅（床面積３０〜４０坪程度）の空気浄化装置として設置する場合、炭化物からなる多孔性吸着物質である浄化体１１の量は、例えば５００ｋｇ〜１０００ｋｇ程度となり、この場合、浄化体１１の交換周期は約１０年となる。浄化体１１は、収納庫１０の扉１０ａを開けて交換可能に収納庫１０の内部に配設される。
【００１９】
吸気口１０ｂから吸引された空気は、所定のフィルターボックス１３を備えたダクト１４を経由して浄化体設置空間１０ｃに送られる。フィルターボックス１３内のフィルターの点検・交換用の点検口が収納庫１０の側面に設けられる。
【００２０】
収納庫１０の吸気口１０ｂは、浄化体１１が複数段に配設されている浄化体設置空間１０ｃの最下段より下に設置され、送風ファン１２はその複数段の水平棚の最上段より上に設置される。当該構成により、吸気口１０ｂから吸引・導入された空気が、浄化体設置空間１０ｃを通過する流路が形成され、吸気孔１０ｂにより導入された空気を浄化する。
【００２１】
送風ファン１２は、浄化体１１が設置された浄化体設置空間１０ｃを通って浄化された空気を収納庫１０から建築物内部に送り込む。送風ファン１２は、それとつながるダクト１５を備え、ダクト１５は、建築物の外壁又は内壁を貫通して建築物の天井裏に延び、送風ファン１２から送り出される空気は、建築物の天井裏（１階天井部と２階床部との間の天井裏空間）を介して建築物内部の各階の各部屋に供給される。
【００２２】
図２は、空気浄化装置の第１の設計例を示す縦断面図であって、２階建ての一戸建て住宅の設計において、空気浄化装置は、建築物内部の部屋の一部として、建築物と一体的に設置される構成であって、内壁を隔てて外壁側の１階室内空間として設置されるとともに、１階の天井裏空間に１階用ダクトと２階用ダクトを通して、１階と２階の両方の室内に空気を供給する。
【００２３】
図３は、空気浄化装置の第２の設計例を示す縦断面図であって、空気浄化装置は、建築物の外部に設置される構成であって、住宅外部の外壁に面して隣接するように固定設置されるとともに、１階と２階それぞれの天井裏空間にダクトを通して、それぞれのダクトから各階の室内に空気を供給する構成を示す。
【００２４】
図４は、住宅建物に設置された空気浄化装置の収納庫１０の正面を示す図であり、扉１０ａと吸気口１０ｂが示される。扉１０ａから収納庫１０内にアクセス可能であり、浄化体の交換作業や内部点検作業を行うことができる。浄化体の交換について、天井裏や床下での交換作業ではなく、収納庫１０の扉１０ａを開けた開口部は地上の広い空間に開口し、大量の浄化体の交換作業・内部の点検作業を容易なものとする。
【００２５】
本発明は、前記実施の形態に限定されるものではなく、本発明の分野における通常の知識を有する者であれば想到し得る各種変形、修正を含む要旨を逸脱しない範囲の設計変更があっても、本発明に含まれることは勿論である。
【符号の説明】
【００２６】
１０：収納庫、１０ａ：扉、１０ｂ：吸気口、１０ｃ：浄化体設置空間、１１：浄化体、１２：送風ファン、１３：フィルターボックス、１４：ダクト、１５：ダクト
【図１】
2017090011.tif 000003
【図２】
2017090011.tif 000004
【図３】
2017090011.tif 000005
【図４】
2017090011.tif 000006